(57)【特許請求の範囲】
【請求項１】
水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成し、前記アームの中間部には前記軸がプレートの他方の面側より必要量突出したときにプレートに形成した貫通孔に挿入する突起を設け、前記プレートの他方の面側に化粧板を取り付けてなるドアを回転可能に支持するためのピボットヒンジにおいて、
前記軸がプレートの他方の面側より必要量突出した状態において、前記突起がプレートの貫通孔及び化粧板に形成した貫通孔より突出するとともに前記アームの回動中心からみて遠い側に位置する突起の面が前記化粧板の貫通孔に当接するように構成した
ことを特徴とするピボットヒンジ。
【請求項２】
水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成し、前記アームの中間部には前記軸がプレートの他方の面側より必要量突出したときにプレートに形成した貫通孔に挿入する突起を設け、前記プレートの他方の面側に化粧板を取り付けてなるドアを回転可能に支持するためのピボットヒンジにおいて、
前記プレートの他方の面側において、前記貫通孔内に鉛直に突出する当接片を前記化粧板を切り起して設け、
前記軸がプレートの他方の面側より必要量突出した状態において、前記突起がプレートの貫通孔に挿入するとともに前記アームの回動中心からみて遠い側に位置する突起の面が前記当接片に当接するように構成した
ことを特徴とするピボットヒンジ。
【請求項３】
水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成し、前記アームの中間部には前記軸がプレートの他方の面側より必要量突出したときにプレートに形成した貫通孔に挿入する突起を設け、前記プレートの他方の面側に化粧板を取り付けてなるドアを回転可能に支持するためのピボットヒンジにおいて、
プレートの他方の面もしくはプレートの他方の面に対向する面と反対側の化粧板の面に前記貫通孔内に鉛直に突出する当接片を一体に設けた取付け板を着脱自在に取り付け、
前記軸がプレートの他方の面側より必要量突出した状態において、前記突起がプレートの貫通孔に挿入するとともに前記アームの回動中心からみて遠い側に位置する突起の面が前記当接片に当接するように構成した
ことを特徴とするピボットヒンジ。
【請求項４】
水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成してなるドアを回転可能に支持するためのピボットヒンジにおいて、
前記アームには、前記水平軸よりもアームの他端側に位置して前記プレート側に開口した溝孔を形成するとともに、前記プレートには、前記軸がプレートの他方の面側より必要量突出したときに前記アームの溝孔に挿入するピンを昇降可能に設け、前記軸がプレートの他方の面側より必要量突出した状態において、前記ピンをアームの溝孔に挿入するとともに、前記アームの回動中心から見て近い側に位置するこのピンの側面を、前記アームの回動中心から見て近い側に位置する前記アームの溝孔における内面に当接するように構成した
ことを特徴とするピボットヒンジ。
【発明の詳細な説明】
【０００１】
【発明の属する技術分野】
本発明は、ドアを回転可能に支持するためのピボットヒンジに関するものである。
【０００２】
【従来の技術】
従来、ドアを回転可能に支持するためにピボットヒンジを上枠側（またはドア上端側）に取り付け、そのピボットヒンジの軸をドア上端側（または上枠側）に取り付けた軸受に嵌入させているが、ピボットヒンジの軸と軸受との嵌合が不完全であると、ドアが外れるおそれがあるので、ピボットヒンジの軸を軸受に嵌入させるときに、どの程度嵌入しているかを知る必要がある。そのため、水平なプレートに一端近傍を以って枢支されたアームの他端を、前記プレートに取り付けた筒状ガイド内に上下動可能に設けた軸に連結し、また前記アームの一端側に対応してプレート側に設けた昇降ねじの操作によりアームの他端側を介して前記筒状ガイド内の軸をプレートより突出させるように構成し、前記アームには前記軸がプレートより必要量突出したときにプレートに形成した貫通孔に挿入する突起を設けたピボットヒンジが知られている（例えば、特許文献１参照）。
【特許文献１】
実開昭５９−２２８７２号公報
【０００３】
【発明が解決しようとする課題】
このピボットヒンジによると、前記突起が貫通孔に挿入されたかどうかを目視することにより、ピボットヒンジの軸と軸受との嵌合状態を容易に判断することができる。
【０００４】
しかし、ドアを長期間使用すると、ドアの開閉時に受ける振動などによって前記昇降ねじが緩んで下降（または上昇）し、アームが回動してその他端が上方（または下方）へ移動し、ピボットヒンジの軸が軸受から外れてドアが外れるおそれがあった。
【０００５】
そこで、本発明はこのような問題点を解決するものであって、ドアが外れるおそれがないピボットヒンジを提供することを課題とする。
【０００６】
【課題を解決するための手段】
前記問題点を解決するために、本発明の請求項１に記載の発明のピボットヒンジは、水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成し、前記アームの中間部には前記軸がプレートの他方の面側より必要量突出したときにプレートに形成した貫通孔に挿入する突起を設け、前記プレートの他方の面側に化粧板を取り付けてなるドアを回転可能に支持するためのピボットヒンジにおいて、前記軸がプレートの他方の面側より必要量突出した状態において、前記突起がプレートの貫通孔及び化粧板に形成した貫通孔より突出するとともに前記アームの回動中心からみて遠い側に位置する突起の面が前記化粧板の貫通孔に当接するように構成したことを特徴とするものである。
【０００７】
また本発明の請求項２に記載の発明のピボットヒンジは、水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成し、前記アームの中間部には前記軸がプレートの他方の面側より必要量突出したときにプレートに形成した貫通孔に挿入する突起を設け、前記プレートの他方の面側に化粧板を取り付けてなるドアを回転可能に支持するためのピボットヒンジにおいて、前記プレートの他方の面側において、前記貫通孔内に鉛直に突出する当接片を前記化粧板を切り起して設け、前記軸がプレートの他方の面側より必要量突出した状態において、前記突起がプレートの貫通孔に挿入するとともに前記アームの回動中心からみて遠い側に位置する突起の面が前記当接片に当接するように構成したことを特徴とするものである。
【０００８】
また本発明の請求項３に記載の発明のピボットヒンジは、水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成し、前記アームの中間部には前記軸がプレートの他方の面側より必要量突出したときにプレートに形成した貫通孔に挿入する突起を設け、前記プレートの他方の面側に化粧板を取り付けてなるドアを回転可能に支持するためのピボットヒンジにおいて、プレートの他方の面もしくはプレートの他方の面に対向する面と反対側の化粧板の面に前記貫通孔内に鉛直に突出する当接片を一体に設けた取付け板を着脱自在に取り付け、前記軸がプレートの他方の面側より必要量突出した状態において、前記突起がプレートの貫通孔に挿入するとともに前記アームの回動中心からみて遠い側に位置する突起の面が前記当接片に当接するように構成したことを特徴とするものである。
【０００９】
さらに本発明の請求項４に記載の発明のピボットヒンジは、水平なプレートの一方の面側においてアームの一端近傍を水平軸により枢支するとともにこのアームの他端を前記プレートに取り付けた筒状ガイド内に上下動可能に設けた軸に連結し、前記アームの一端側に対応してプレート側に設けられプレートの他方の面より操作可能な昇降手段によりアームを回動させてその他端側を介して前記筒状ガイド内の軸をプレートの他方の面側より突出させるように構成してなるドアを回転可能に支持するためのピボットヒンジにおいて、前記アームには、前記水平軸よりもアームの他端側に位置して前記プレート側に開口した溝孔を形成するとともに、前記プレートには、前記軸がプレートの他方の面側より必要量突出したときに前記アームの溝孔に挿入するピンを昇降可能に設け、前記軸がプレートの他方の面側より必要量突出した状態において、前記ピンをアームの溝孔に挿入するとともに、前記アームの回動中心から見て近い側に位置するこのピンの側面を、前記アームの回動中心から見て近い側に位置する前記アームの溝孔における内面に当接するように構成したことを特徴とするものである。
【００１０】
前記請求項１〜３に記載の構成によれば、アームの回動中心からみて遠い側に位置する突起の面が化粧板の貫通孔または当接片に当接した状態にあるので、ドアの開閉時に受ける振動などによって前記昇降手段が緩むことによりアームが回動しようとしても、突起と化粧板の貫通孔との間の当接、また突起と当接片との間の当接がより一層強くなり、その結果アームの回動が防止されてプレートの他方の面側より必要量突出した軸が筒状ガイド側へ退入することがない。したがって、ドアが開閉時に振動などを受けてもドアが外れるおそれがないものである。
【００１１】
また、前記請求項４に記載の構成によれば、アームの回動中心から見て近い側に位置するピンの側面を、前記アームの回動中心から見て近い側に位置する前記アームの溝孔における内面に当接した状態にあるので、ドアの開閉時に受ける振動などによって前記昇降手段が緩むことによりアームが回動しようとしても、ピンの側面とアームの溝孔との間の当接がより一層強くなり、その結果アームの回動が防止されてプレートの他方の面側より必要量突出した軸が筒状ガイド側へ退入することがない。したがって、ドアが開閉時に振動などを受けてもドアが外れるおそれがないものである。
【００１２】
【発明の実施の形態】
以下、本発明の実施の形態におけるピボットヒンジを図面に基づいて説明する。
【００１３】
本発明の第１の実施の形態におけるピボットヒンジについて、図１〜図６に基づいて説明する。
図１〜図６において、建物側に形成された上枠１の下端面と同一面になるようにビスにて固定される水平なピボットヒンジのプレート２には、その上面の一端近傍に水平軸３をもってアーム４の一端近傍が枢支されている。また、前記アーム４の一端にはその下方より円弧状溝孔５が形成され、この円弧状溝孔５に前記プレート２の一端側に螺入させた雄ねじ体６の上端球形部７が係合している。前記雄ねじ体６はプレート２に形成した雌ねじ孔８に螺入しており、プレート２の下方より雄ねじ体６の下端の−状溝部９にドライバ等を係合させて下方より雄ねじ体６を回転させて上下動させ得るようになっている。
【００１４】
また、前記プレート２の上面の他端側には上面より上方へ突出するように円筒状ガイド１０が設けられており、この円筒状ガイド１０内には上下方向に向く軸１１が上下動可能に設けられ、この軸１１は前記プレート２の下面より下方へ突出し得るようになっている。そして、前記アーム４の他端は前記円筒状ガイド１０に上端近傍から下方に適当長さに形成された長溝１２を通って前記軸１１に係合している。
【００１５】
さらに、前記アーム４の中間部下側には突起１３が突設され、前記軸１１を下方に押し下げているとき、この突起１３は前記プレート２の中間部に形成したプレート２の長さ方向に長軸を有する長円形の貫通孔１４に嵌入してその先端部がプレート２の下面より下方へ突出するようになっている。この突起１３の先端部は、前記アーム４の回動中心である水平軸３からみて遠い側の端部に直線部１５が形成されている。
【００１６】
そして、前記プレート２の下面には、２枚の化粧板１６、１７が取り付けている。つまり、前記プレート２の下面の一端側にはプレート２に形成されたねじ孔２３と化粧板１６に形成されたねじ孔２５とを合致させて、ビス２７にて化粧板１６が固定され、また、前記プレート２の下面の他端側にはプレート２に形成されたねじ孔２３と化粧板１７に形成されたねじ孔２５とを合致させて、ビス２７にて化粧板１７が固定されている。
【００１７】
プレート２の下面の一端側に固定された化粧板１６には、前記プレート２に形成した貫通孔１４に対応した位置に、前記軸１１がプレート２より下方へ必要量突出した状態で前記突起１３の先端部が挿入されて下方へ突出するようにした略半円形の貫通孔１８が形成され、この貫通孔１８に前記突起１３の先端部を挿入して下方へ突出させるとともに当接させるようになっている。この貫通孔１８は前記アーム４の回動中心である水平軸３からみて遠い側の端部が直線部１９に形成されており、この直線部１９は化粧板１６の長さ方向と直交している。前記軸１１が下方に押し下げられてプレート２の下面より必要量突出したときに、プレート２の貫通孔１４より下方へ突出した突起１３がこの貫通孔１８より下方へ突出するとともに貫通孔１８の直線部１９に突起１３の直線部１５を当接させるようになっており、それによってアーム４の回動が防止される。さらに、化粧板１６には前記雄ねじ体６を挿入するための挿入孔２０が形成され、前記雄ねじ体６がこの挿入孔２０内に位置するように挿入されている。
【００１８】
また、前記化粧板１７には前記軸１１を挿入するための挿入孔２１が形成され、前記軸１１がこの挿入孔２１の挿入されて化粧板１７の下方へ突出されるようになっている。
【００１９】
また、前記プレート２にはこれを上枠１にビスによって固定するためのねじ孔２２が形成されている。
以上のように構成されたピボットヒンジは、前記化粧板１６を取り外した状態で、前記軸１１が建物に形成された竪枠２８側において上枠１の下端一側部側に位置するとともに上枠１の下端面と同一面になるようにプレート２が埋め込まれ、プレート２がねじ孔２２の位置でビス２９を上枠２側に突出させて上枠１に固定される。一方、ドア３０の吊り元側上端面にはドア３０の上端面と同一面になるように軸受プレート３１が図示されていないビスにて固定される。この軸受プレート３１には前記ピボットヒンジの軸１１を嵌入させるキャップ状の軸受３２が形成されている。
【００２０】
ところで、ドア３０を竪枠２８側に取り付けるとき、軸１１を円筒状ガイド１０内に退入させておかなければドア３０を所定位置にセットさせることができない。
【００２１】
そこで、前記雄ねじ体６の−状溝部９にドライバの先端部を係合させて雄ねじ体６を左回転させることによって雄ねじ体６を下降させ、これにより上端球形部７を引き下げることによってアーム４を回動させてその他端部を上昇させて前記軸１１を円筒状ガイド１０内に退入させる。
【００２２】
この状態でドア３０を竪枠２８側にセットし、前記軸１１の中心と軸受３２の中心とを合致させるとともにドア３０を半開き状にしておき、上枠１の下方より前記雄ねじ体６をドライバで右回転させることにより雄ねじ体６を上昇させれば、アーム４が回動してその他端が下降し、前記軸１１は前記軸受３２に嵌入する。このとき前記突起１３は前記貫通孔１４に上方より挿入され、前記軸１１と軸受３２との嵌合を確認することができる。すなわち前記突起１３が貫通孔１４に挿入されると、軸１１と軸受３２とが嵌合したことになる。
【００２３】
しかる後に、前記プレート２の下面の一端側に前記化粧板１６を配し、前記貫通孔１８に突起１３の先端部を挿入させるとともに突起１３の先端部の直線部１５を貫通孔１８の直線部１９に当接させ、化粧板１６をビス２７にてプレート２に固定する。この状態においてアーム４の回動中心である水平軸３からみて遠い側に位置する突起１３の直線部１５の面が化粧板１６の貫通孔１８の直線部１９に当接した状態にあるので、アーム４が回動しようとすると突起１３の直線部１５と化粧板１６の貫通孔１８の直線部１９との間の当接がより一層強くなり、その結果アーム４の回動が防止され、軸１１がプレート２の下面側より退入するのが防止され、ドア３０が外れることが防止されることになる。
【００２４】
ところで、ドア３０の下端は前記軸１１と同一鉛直線上に位置する図示されていない軸受手段によって竪枠２８側に支持され、もってドア３０はその上端と下端とが回転可能に支持されることになる。
【００２５】
なお、ドア３０の取り外しは、前記化粧板１６を取り外し、前記雄ねじ体６を左回転させて下降させることによりアーム４の他端及び軸１１を上昇させることによって行われる。
【００２６】
本実施の形態によれば、ドア３０の開閉時に受ける振動などによって雄ねじ体６が緩むことによりアーム４が回動しようとしても、アーム４の回動中心である水平軸３からみて遠い側に位置する突起１３の直線部１５の面が化粧板１６の貫通孔１８の直線部１９に当接した状態にあるので、アーム４が回動しようとすると突起１３の直線部１５と化粧板１６の貫通孔１８の直線部１９との間の当接がより一層強くなり、その結果アーム４の回動が防止されてプレート２の他方の面側より必要量突出した軸１１が筒状ガイド１０側へ退入することがない。したがって、ドア３０が開閉時に振動などを受けてもドア３０が外れるおそれがないものである。
【００２７】
しかも、化粧板１６には貫通孔１８を形成してこれより突起１３が突出するようにしたので、突起１３が貫通孔１８より突出することは軸１１がプレート２の下面側より必要量突出したことになり、前記従来のピボットヒンジに比べると、軸１１がプレート２の下面側に必要量突出したことをより正確に判断することができる。
【００２８】
次に、本発明の第２の実施の形態におけるピボットヒンジについて、図７〜図１０に基づいて説明する。なお、第１の実施の形態と共通の機能を有するものについては、符号のみを付し、その説明は省略した（後述の第３、第４の実施の形態についても同様である）。
【００２９】
図７〜図１０に示すように、このピボットヒンジにおいては、第１の実施の形態と同様にプレート２の下面の一端側に取り付けられる化粧板１６とプレート２の下面の他端側に取り付けられる化粧板１７とを備え、一方の化粧板１６には、この化粧板１６をアーム４の回動中心から見て遠い側に鉛直に切り起して当接片４１を形成するとともに、この当接片４１をプレート２に形成された貫通孔１４内に鉛直に突出させ、貫通孔１４に挿入されるアーム４の突起１３を当接片４１に当接させて係止するようにしたものである。
【００３０】
そして、前記プレート２の貫通孔１４は、プレート２の幅方向に長辺を有する長方形に形成されており、化粧板１６は、当接片４１がこの長方形の貫通孔１４におけるアーム４の回動中心から見て遠い側の長辺に沿って貫通孔１４内に位置するように、プレート２の下面に取り付けられるようになっている。なお、貫通孔１４のアーム４の回動中心から見て遠い側の箇所には、貫通孔１４に連通されアーム４の突起１３を上方から貫通孔１４に導くための略正方形の誘導孔１４ａが形成されている。
【００３１】
また、前記アーム４の突起１３は断面が略正方形に形成され、アーム４の回動中心から見て遠い側に位置する突起１３の先端部に形成された直線部１３ａが前記当接片４１に当接するように構成されている。また、前記化粧板１６の当接片４１を切り起した箇所には切り抜き孔４２が形成されている。
【００３２】
この状態においてアーム４の回動中心からみて遠い側に位置する突起１３の直線部１３ａが前記当接片４１に当接した状態にあるので、アーム４が回動しようとすると突起１３の直線部１３ａと当接片４１との間の当接がより一層強くなり、その結果アーム４の回動が防止され、軸１１がプレート２の下面側より退入するのが防止され、ドア３０が外れることが防止されることになる。
【００３３】
このピボットヒンジにおいても、第１の実施の形態と同様に、ドア３０を所定位置にセットした後に、化粧板１６がプレート２の下面に取り付けられる。これにより、貫通孔１４に挿入された突起１３が化粧板１６に形成された当接片４１に当接してアーム４の回動が防止されることになる。
【００３４】
次に、本発明の第３の実施の形態におけるピボットヒンジについて、図１１〜図１４に基づいて説明する。
図１１〜図１４に示すように、このピボットヒンジにおいては、当接片４１が水平な取付け板４４と一体に形成されてこの取付け板４４の一端側より鉛直に突出されており、この取付け板４４を当接片４１がプレート２に形成された貫通孔１４内に鉛直に突出するように、プレート２の下面に取り付け、貫通孔１４に挿入されるアーム４の突起１３を当接片４１に当接させるようにしたものである。
【００３５】
前記取付け板４４は、平面視して長方形に形成されてその一端側の中央部に当接片４１が形成され、当接片４１は、その上端部にはアーム４の回動中心から遠い側に水平に延びる水平補強部４１ａとこの水平補強部４１ａから下方に垂設された鉛直補強部４１ｂとを備え、これら水平補強部４１ａと鉛直補強部４１ｂにより補強されている。
【００３６】
そして、前記プレート２の貫通孔１４は、プレート２の長さ方向に長辺を有する長方形に形成されている。また、プレート２の下面に取り付けられる化粧板１６は、１枚の化粧板１６から形成されており、この化粧板１６の中間部には、取付け板４４を嵌合するための化粧板１６の幅方向に長辺を有するくり抜き孔４５が形成され、このくり抜き孔４５のアーム４の回動中心から見て遠い側には、前記当接片４１と水平補強部４１ａと鉛直補強部４１ｂとを下方より挿入するための略正方形の挿入孔４５ａが形成されている。
【００３７】
そして、前記当接片４１と水平補強部４１ａと鉛直補強部４１ｂとは挿入孔４５ａの下方より挿入されて、鉛直補強部４１ｂがアーム４の回動中心から見て遠い側の貫通孔４１の端部に当接されるとともに当接片４１が貫通孔１４内に鉛直に突出され、取付け板４４がくり抜き孔４５に嵌合するとともにそれに形成したねじ孔４６にビス４７を挿通することにより、プレート２の下面に固定されている。
【００３８】
また、前記アーム４の突起１３は、第２の実施の形態と同様に、断面が略正方形に形成され、アーム４の回動中心から見て遠い側に位置する突起１３の先端部に形成された直線部１３ａが前記当接片４１に当接するように構成されている。
【００３９】
そして、軸１１がプレート２の下面より下方に必要量突出した状態において、アーム４の突起１３がプレート２の貫通孔に挿入されるとともに、アーム４の回動中心である水平軸３から見て遠い側に位置するこの突起１３の端部に形成された直線部１３ａが当接片４１に当接するように構成されている。これにより、アーム４を回動させる雄ねじ体６が緩むことがなく、アーム４の回動が防止され、軸１１がプレート２の下面側より円筒状ガイド１０側に退入するのが防止されて、ドア３０が外れることが防止されることになる。
【００４０】
ところで、前記当接片４１は水平補強部４１ａと鉛直補強部４１ｂにより補強されているので、耐久性を有するものである。
なお、本実施の形態においては、取付け板４４をプレート２の下面に取り付けたが、取付け板４４を化粧板１６の下面に取り付けるようにしてもよい。
【００４１】
次に、本発明の第４の実施の形態におけるピボットヒンジについて、図１５〜図１７に基づいて説明する。
図１５〜図１７に示すように、このピボットヒンジにおいては、アーム４に下方に開口した溝孔５１を形成するとともに、プレート２にはその上面から上方に突出して前記溝孔５１に挿入されるねじピン５２を昇降可能に設け、溝孔５１に挿入されるねじピン５２を前記溝孔５１に当接させるようにしたものである。
【００４２】
つまり、アーム４には、アーム４の回動中心である水平軸３と突起１３との間に位置して下方に開口した円筒状部５１ａを有する溝孔５１が形成され、また、プレート２には、プレート２の下面からプレート２を貫通してプレート２の上面から上方に突出するねじピン５２が螺入されている。このねじピン５２は、プレート２に螺入される下部側にのみにねじが形成され、その先端部には円柱状部５２ｂが形成されており、その下端の−状溝部５２ａにドライバ等を係合させて下方より回転させて上下動させ得るようになっている。
【００４３】
また、プレート２の中間部には円形の貫通孔１４が形成されている。また、化粧板１６の中間部には化粧板１６の長さ方向に長軸を有する長円形の透孔５３が形成され、この透孔５３からドライバを挿入して前記ねじピン５２を突出後退するようになっている。
【００４４】
そして、軸１１がプレート２の下面より下方に必要量突出した状態において、また、ねじピン５２の先端部をアーム４の溝孔５１内に突出するとともに、アーム４の回動中心である水平軸３から見て近い側に位置するねじピン５２の円柱状部５２ｂにおける端部を、アーム４の回動中心である水平軸３から見て近い側に位置する溝孔５１の円筒状部５１ａにおける端部に当接することにより、アーム４を回動させる雄ねじ体６が下降することがなく、アーム４の回動が防止され、軸１１がプレート２の下面側より円筒状ガイド１０側に退入するのが防止されて、ドア３０が外れることが防止されることになる。また、アーム４の突起１３がプレート２の貫通孔１４に挿入されることにより、目視により軸１１がプレート２の下面より下方に必要量突出したことが確認されることになる。
【００４５】
このピボットヒンジにおいては、ドア３０を所定位置にセットした後に、ねじピン５２を、化粧板１６の透孔５３を介して、ドライバーなどによって回転させて、アーム４の溝孔５１内に突出させて、ねじピン５２を溝孔５１に当接させる。
【００４６】
本実施の形態によれば、アーム４に下方に開口した円筒状部５１ａを有する溝孔５１を形成するとともに、プレート２に前記溝孔５１内に突出するねじピン５２を設け、ねじピン５２の円柱状部５２ｂをアーム４の溝孔５１内に突出させるとともに、アーム４の回動中心から見て近い側に位置するねじピン５２の円柱状部５２ｂにおける端部を、アーム４の回動中心から見て近い側に位置する溝孔５１の円筒状部５１ａにおける端部に当接するようにしたので、軸１１がプレート２下面より必要量突出した状態において、ドア３０が開閉時に振動などを受けてもアーム４を回動させる雄ねじ体６が下降することがないため、アーム４が回動することがない。したがって、このピボットヒンジにおいても、プレート２より必要量突出した軸１１が円筒状ガイド１０側へ退入することがなく、ドア３０が外れるおそれがないものである。
【００４７】
本実施の形態においては、プレート２に貫通孔１４を形成するとともに、アーム４には突起１３を形成して、貫通孔１４に挿入するようにしたが、貫通孔１４および突起１３は必ずしも形成する必要はない。
【００４８】
なお、本発明のピボットヒンジをドア側に設け、軸受を上枠側に設けて、ドア側のピボットヒンジの軸を上枠側の軸受に嵌入させることも可能である。
【００４９】
【発明の効果】
以上述べたように、本発明の請求項１〜３に記載の構成のピボットヒンジによれば、アームの回動中心からみて遠い側に位置する突起の面が化粧板の貫通孔または当接片に当接した状態にあるので、ドアの開閉時に受ける振動などによって昇降手段が緩むことによりアームが回動しようとしても、突起と化粧板の貫通孔との間の当接、また突起と当接片との間の当接がより一層強くなり、その結果アームの回動が防止されてプレートの他方の面側より必要量突出した軸が筒状ガイド側へ退入することがない。したがって、ドアが開閉時に振動などを受けてもドアが外れるおそれがないものである。
【００５０】
また、本発明の請求項４に記載の構成のピボットヒンジによれば、アームの回動中心から見て近い側に位置するピンの側面を、前記アームの回動中心から見て近い側に位置する前記アームの溝孔における内面に当接した状態にあるので、ドアの開閉時に受ける振動などによって昇降手段が緩むことによりアームが回動しようとしても、ピンの側面とアームの溝孔との間の当接がより一層強くなり、その結果アームの回動が防止されてプレートの他方の面側より必要量突出した軸が筒状ガイド側へ退入することがない。したがって、ドアが開閉時に振動などを受けてもドアが外れるおそれがないものである。
【図面の簡単な説明】
【図１】  本発明の第１の実施の形態におけるピボットヒンジの正面図である。
【図２】  同ピボットヒンジの部分拡大分解斜視図である。
【図３】  同ピボットヒンジにおける化粧板を取り付ける前の状態を示す底面図である。
【図４】  同ピボットヒンジにおける化粧板を取り付けた状態を示す底面図である。
【図５】  同ピボットヒンジの側面図である。
【図６】  同ピボットヒンジの断面図である。
【図７】  本発明の第２の実施の形態におけるピボットヒンジの正面図である。
【図８】  同ピボットヒンジにおける化粧板を取り付ける前の状態を示す底面図である。
【図９】  同ピボットヒンジにおける化粧板を取り付けた状態を示す底面図である。
【図１０】  同ピボットヒンジにおける当接片を示す拡大断面図である。
【図１１】  本発明の第３の実施の形態におけるピボットヒンジの正面図である。
【図１２】  同ピボットヒンジにおける化粧板を取り付ける前の状態を示す底面図である。
【図１３】  同ピボットヒンジにおける化粧板を取り付けた状態を示す底面図である。
【図１４】  同ピボットヒンジにおける取付け板と一体に形成された当接片を示し、（ａ）はその拡大平面図、（ｂ）はその拡大正面図である。
【図１５】  本発明の第４の実施の形態におけるピボットヒンジの正面図である。
【図１６】  同ピボットヒンジにおける化粧板を取り付ける前の状態を示す底面図である。
【図１７】  同ピボットヒンジにおける化粧板を取り付けた状態を示す底面図である。
【符号の説明】
１          上枠
２          プレート
３          水平軸
４          アーム
５          円弧状溝孔
６          雄ねじ体
７          上端球形部
８          雌ねじ孔
１０          円筒状ガイド
１１          軸
１２          長溝
１３          突起
１４          貫通孔
１４ａ        誘導孔
１５          突起の直線部
１６、１７    化粧板
１８          貫通孔
１９          直線部
２０、２１    挿入孔
２８          竪枠
３０          ドア
３１          軸受プレート
３２          軸受
４１          当接片
４１ａ        水平補強部
４１ｂ        鉛直補強部
４２          切り抜き孔
４４          取付け板
４５          くり抜き孔
４６          ねじ孔
５１          溝孔
５２          ねじピン
５３          透孔
【図１】
0003683254.tif 000002
【図２】
0003683254.tif 000003
【図３】
0003683254.tif 000004
【図４】
0003683254.tif 000005
【図５】
0003683254.tif 000006
【図６】
0003683254.tif 000007
【図７】
0003683254.tif 000008
【図８】
0003683254.tif 000009
【図９】
0003683254.tif 000010
【図１０】
0003683254.tif 000011
【図１１】
0003683254.tif 000012
【図１２】
0003683254.tif 000013
【図１３】
0003683254.tif 000014
【図１４】
0003683254.tif 000015
【図１５】
0003683254.tif 000016
【図１６】
0003683254.tif 000017
【図１７】
0003683254.tif 000018